(57)【要約】【課題】  本発明は、乳児を抱く方の手によって哺乳瓶を保持することで安定した授乳が行え、かつ他方の手が自由に使うことができる哺乳瓶支持具を提供することを目的とするものである。【解決手段】  本発明の哺乳瓶支持具１は、哺乳瓶を保持するための把持部２と、この把持部２の基端に連結される所定長さの支持部３と、この支持部３の開放端に設けられるグリップ部４とから構成されるものである。【選択図】        図１
2006043014.tif 000002
【特許請求の範囲】
【請求項１】
乳児を抱く方の手で哺乳瓶が保持される哺乳瓶支持具であって、
哺乳瓶を保持するための把持部と、
前記把持部に一端が連結される所定長さの支持部と、
前記支持部の他端に設けられるグリップ部を備える
ことを特徴とする哺乳瓶支持具。
【請求項２】
前記把持部が開閉自在とされる上半円爪部と下半円爪部とから形成される
ことを特徴とする請求項１記載の哺乳瓶支持具。
【請求項３】
前記上半円爪部および下半円爪部の内面に滑り止め部材を設ける
ことを特徴とする請求項２記載の哺乳瓶支持具。
【発明の詳細な説明】
【技術分野】
【０００１】
本発明は、哺乳瓶支持具に関する。詳しくは授乳者の手を煩わせずに乳を飲ませることができる哺乳瓶支持具に係るものである。
【背景技術】
【０００２】
乳児に哺乳瓶で乳を与える場合、片方の腕で抱きながら他方の手で哺乳瓶を保持し授乳させているが、この授乳の間は両手が塞がっているために全く用事ができないのが現状である。
【０００３】
そこで授乳者の手を煩わすことなく乳を飲ませることができる哺乳瓶支持具として例えば図５に示す発明がある。この哺乳瓶支持具１０１は支柱部にフレキシブルシャフト１０２を使用し、その先端に哺乳瓶１０３の抱持具１０４を備え、フレキシブルシャフト１０２の後端には連結ピン１０５を突設し別のフレキシブルシャフト１０６の接続部１０７に着脱可能に接続することにより、フレキシブルシャフト１０６を適宜環状に湾曲することで柱部と台座部を形成することができる構成とする（特許文献１参照。）。
【０００４】
【特許文献１】特開平１１−２９９５９４号（要約書、第１図）
【発明の開示】
【発明が解決しようとする課題】
【０００５】
しかしながら前記構成の哺乳瓶支持具は、フレキシブルシャフトを首掛け用及び脇固定用に湾曲することで哺乳瓶を体に固定した状態で保持するものであるが、哺乳瓶による授乳は３時間ごとに行うことが多く、その都度フレキシブルシャフトを体に固定するのは非常に煩雑な作業となる。
【０００６】
また、フレキシブルシャフトを湾曲することで体に固定する場合には首を動かしたり、上半身を捻ったときにフレキシブルシャフトが動いて哺乳瓶支持具の位置がずれることが考えられ安定した授乳を行えない。
【０００７】
本発明は、以上の点に鑑みて創案されたものであって、乳児を抱く方の手によって哺乳瓶を保持することで安定した授乳が行え、かる他方の手が自由に使うことができる哺乳瓶支持具を提供することを目的とするものである。
【課題を解決するための手段】
【０００８】
上記の目的を達成するために、本発明に係る哺乳瓶支持具は、乳児を抱く方の手で哺乳瓶が保持される哺乳瓶支持具であって、哺乳瓶を保持するための把持部と、前記把持部に一端が連結される所定長さの支持部と、前記支持部の他端に設けられるグリップ部を備える。
【０００９】
ここで、把持部により哺乳瓶を保持し、乳児を抱く方の手でグリップ部を掴むことにより乳児を抱いたままの状態での授乳を行うことが可能となり、他方の手によって家庭内の作業を行うことができる。
【００１０】
また、手によって哺乳瓶支持具を掴んでいるために常に乳児がミルクを飲み易い状態に哺乳瓶を保持することができ、かつ乳児が咽ぶなどの場合には咄嗟に哺乳瓶を抜くなどの操作を容易に行うことが可能となる。
【００１１】
更に把持部を上半円爪部と下半円爪部とから形成し、その基端側を蝶番部材によって連結して開閉自在とすることにより哺乳瓶の着脱を容易に行うことが可能となる。
【発明の効果】
【００１２】
本発明の哺乳瓶支持具は、乳児を抱いた状態での授乳を行うことが可能となり、乳児を抱く方の手で哺乳瓶支持具を掴むことにより片手を自由に使うことができる。
【００１３】
また、哺乳瓶支持具を使用しないで両手で授乳を行っている途中に、例えば電話がかかってきたときは乳児から哺乳瓶を抜かずに乳児を抱いた方の手で哺乳瓶支持具を掴み、開いた状態の把持部に哺乳瓶を乗せるだけで容易に哺乳瓶を保持することができる。
【発明を実施するための最良の形態】
【００１４】
以下、本発明の実施の形態を図面を参酌しながら説明し、本発明の理解に供する。
図１は、本発明を適用した哺乳瓶支持具の一例を説明するための斜視図である。
【００１５】
ここで示す哺乳瓶支持具１は、哺乳瓶を保持するための把持部２と、この把持部２の基端に連結される所定長さの支持部３と、この支持部３の開放端に設けられるグリップ部４とから構成されるものである。
【００１６】
そこで把持部２は、上半円爪部５および下半円爪部６から構成されるものであり、上半円爪部５および下半円爪部６はそれぞれ２本の爪部７およびこの爪部７間に渡設される補強部材８から形成される。
さらに、下半円爪部６の各爪部７の先端から約２．５から３．０ｃｍ手前までは哺乳瓶の胴体形状に合わせて屈曲自在な構成とすることにより安定した哺乳瓶の保持を行うことができる。
【００１７】
ここで下半円爪部６は、その基端が支持部３の一端に連結固定され、上半円爪部５は蝶番部材９を介して支持部３の基端側に連結固定される。したがって上半円爪部５は蝶番部材９によって下半円爪部６に対して開閉自在な機構とされる。
【００１８】
また、図２に示すように蝶番部材９はその開閉に常時制動がかかるような機構とされることにより上半円爪部５を任意の開いた状態で停止し、手によって上半円爪部５を制動に抗しながら押し下げることで哺乳瓶を下半円爪部６と上半円爪部５によって保持することができる構成とするものである。
【００１９】
さらに上半円爪部５および下半円爪部６の内面には哺乳瓶（図示せず。）のスベリを防止するためのゴムやスポンジ材などからなる滑り止め部材１０が装着されるものであり、この滑り止め部材１０によって哺乳瓶の滑りを防止する。
【００２０】
また、下半円爪部６の一方の爪部７の先端に把持部固定用ゴム紐１１の一端を連結し、他方の爪部７の基端側に係留用突起部１２が設けられる。そこで把持部固定用ゴム紐１１の先端を環状とし、哺乳瓶を上半円爪部５と下半円爪部６によって保持した状態で把持部固定用ゴム紐１１を上半円爪部５の上面を通して係留用突起部１２に、その先端が環状とされる把持部固定用ゴム紐１１を引っ掛けることにより確実な哺乳瓶の保持が可能となる。
【００２１】
次に、支持部３は乳児を抱く方の手から哺乳瓶により授乳が行える長さとし、哺乳瓶の重さに耐えるために四辺状の各枠体１３間に補強辺１４が渡設される機構とするものである。
【００２２】
そして支持部３の基端にはグリップ部４が設けられるものであり、このグリップ部４は手を挿入して握ることができる大きさの手挿入用環状部１５が形成されるものであり、この手挿入用環状部１５は支持部３に対して乳児側へ直角状に突設される構成とするものである。
【００２３】
また、手挿入用環状部１５には手で握る際に滑らず、かつ長い時間を握っていても手が疲れないためにスポンジ材などのクッション部材１６を装着するものである。
【００２４】
ここで、把持部は必ずしも上半円爪部と下半円爪部によって構成される必要性は無く、哺乳瓶が容易に保持され、かつ抜け落ちないものであればいかなる機構であっても構わない。
【００２５】
なお、蝶番部材は必ずしもその開閉に常時制動がかかるような機構とする必要性は無く、哺乳瓶を保持するために上半円爪部および下半円爪部が開閉できるものであればいかなる機構の蝶番部材であっても良いが、片手で哺乳瓶の保持を容易に行える機構とすることが望ましい。
【００２６】
また、把持部固定用ゴム紐は必ずしも取付ける必要性は無く、例えば上半円爪部および下半円爪部間にバネ部材を取り付けることで強制的に哺乳瓶を把持する機構など哺乳瓶がズレない、あるいは脱落しないものであればいかなる機構であっても構わない。
【００２７】
以上の構成よりなる本発明では図３に示すように、哺乳瓶支持具１の上半円爪部５を開いた状態で哺乳瓶Ａを下半円爪部６内面に設けられる滑り止め部材１０上に載置する。
そして上半円爪部５を手で押し下げて哺乳瓶Ａを上半円爪部５および下半円爪部６によって把持する。
【００２８】
この状態では哺乳瓶Ａは滑り止め部材１０によって滑ることなく保持することができるが、さらに把持部固定用ゴム紐１１によって上半円爪部５および下半円爪部６を締め付けることにより確実に哺乳瓶Ａの把持が可能となる。
【００２９】
次に図４に示すように乳児Ｂを抱いている方の手で哺乳瓶支持具１のグリップ部４の手挿入用環状部１５内に親指以外の指を挿入して手で掴むことにより哺乳瓶Ａは乳児を抱いている方の手によって支持することが可能となる。
【００３０】
そこで哺乳瓶Ａの乳首Ｃを手の操作によって乳児Ｂの口元に持って行き、乳児Ｂに吸わせることで授乳を行うことが可能となる。したがって他方の手は自由となり、例えば１人でご飯を食べられない、上の子供の食事の時間と授乳がかさなった場合や電話がかかった場合にでも授乳を中断することなく対応することが可能となる。
【００３１】
また、両手での通常の授乳時において本発明の哺乳瓶支持具を使用する必要が生じた際には、抱いたままの状態で哺乳瓶支持具による哺乳瓶の保持が容易に行うことができ、状況に応じての対応が非常にスムーズに行えるものである。
【図面の簡単な説明】
【００３２】
【図１】本発明を適用した哺乳瓶支持具の一例を示す斜視図である。
【図２】本発明を適用した哺乳瓶支持具の把持部の拡大説明図である。
【図３】本発明を適用した哺乳瓶支持具による哺乳瓶の保持状態を示す説明図である。
【図４】本発明を適用した哺乳瓶支持具による使用状態を示す説明図である。
【図５】従来の哺乳瓶支持具の一例を示す説明図である。
【符号の説明】
【００３３】
１      哺乳瓶支持具
２      把持部
３      支持部
４      クリップ部
５      上半円爪部
６      上半円爪部
７      爪部
８      補強部材
９      蝶番部材
１０    滑り止め部材
１１    把持部固定用ゴム紐
１２    係留用突起部
１３    枠体
１４    補強辺
１５    手挿入用環状部
１６    クッション部材
【図１】
2006043014.tif 000003
【図２】
2006043014.tif 000004
【図３】
2006043014.tif 000005
【図４】
2006043014.tif 000006
【図５】
2006043014.tif 000007